(57)【要約】      （修正有）【課題】多段階に伸縮可能な双方向スライド可能なアーバのスライドカバー構造を提供する。【解決手段】双方向スライドカバーは多段階に調整して伸縮可能で、前組立てスライドカバー２０と後組立てスライドカバー３０とを、双方向にスライド移動させることができ、前方へ、或いは後方へとスライド移動させる時には、後組立てスライドカバー３０の停止端３３、或いは前組立てスライドカバー２０の停止部２１は、後設置バネ３６の嵌合リング１４を相対して圧縮する。ボール体１７は、後ボール槽３５、或いは前ボール槽３４内に収容され、伸縮導入棒４０のボール環状槽４２を移動させて調整し、アーバ本体１０のボール体１７に相対させる。これにより、伸縮導入棒４０は、アーバ本体１０に相対して長さの調整が可能となり、使用において便利で実用的である。【選択図】図２
0003185417.tif 000002
【実用新案登録請求の範囲】
【請求項１】
双方向スライド可能なアーバのスライドカバー構造は、アーバ本体、前組立てスライドカバー、後組立てスライドカバー、伸縮導入棒、組立て接続部品を備え、
前記アーバ本体内部には、軸方向に非円形貫通槽を貫通し、前記非円形貫通槽は、両端にそれぞれ組立て接続部と貫通設置端を備え、前記アーバ本体外縁には、環状凹槽を設置し、前記環状凹槽には、嵌合リングを嵌合して定位し、前記環状凹槽の隣接する位置には、収容槽を設置し、前記収容槽内部には、ボール体を収容設置し、
前記前組立てスライドカバー内部には、前設置収容室を貫通状に設置し、前記アーバ本体外縁に嵌って設置され、前記前設置収容室内壁には、停止部を形成し、前記環状リングの片側を定位し、前記環状リングの別の側には、前設置バネを設置し、前記前設置収容室の内壁の開口には、螺合セクションを設置し、
前記後組立てスライドカバー内部には、後設置収容室を貫通状に設置し、前記後設置収容室は、前記アーバ本体の外縁に嵌って設置され、前記後設置収容室内壁には、停止端を環状に突出して設置し、前記停止端の片側には、後設置バネを設置し、該後設置バネの片側にはワッシャを設置し、前記停止端内壁の反対の側に、前ボール槽、非槽セクション、後ボール槽を順番に環状に設置し、
前記伸縮導入棒は、表面に非円形棒セクションと駆動棒セクションを備え、前記非円形棒セクションは、前記非円形貫通槽において伸縮し、前記駆動棒セクションは、前記アーバ本体において露出し、前記非円形棒セクション外縁は、複数のボール環状槽を設置し、ボール環状槽は、軸方向に多段階に、前記ボール体に対応して嵌り、
前記組立て接続部品一端には、前記アーバ本体の組立て接続部に相対し、組立て設置部を設置し、これにより前記組立て設置部は、前記アーバ本体の組立て接続部に対応して設置され、定位され、しかも前記組立て接続部品の反対端には、工具組み付け槽を設置することを特徴とする双方向スライド可能なアーバのスライドカバー構造。
【請求項２】
前記前組立てスライドカバーの螺合セクションは、内ネジヤマセクションで、
前記後組立てスライドカバーの螺合組立て端は、外ネジヤマセクションであることを特徴とする請求項１に記載の双方向スライド可能なアーバのスライドカバー構造。
【請求項３】
前記組立て接続部品外縁の予定位置には、前記工具組み付け槽を貫通する嵌槽を設置し、
前記組立て接続部品外縁には、弾性体を被せて設置し、前記弾性体一端は、湾曲して嵌接部を形成し、
前記嵌接部は、前記組立て接続部品の嵌槽に入り嵌合され、
前記弾性体外縁には、スライドカバー部品を嵌めて覆い、
前記スライドカバー部品内部は、前記弾性体の両端に相対し、その両端を定位させる停止縁と停止台をそれぞれ設置することを特徴とする請求項１に記載の双方向スライド可能なアーバのスライドカバー構造。
【請求項４】
前記アーバ本体外縁には、サポート保護具を嵌めて設置することを特徴とする請求項１に記載の双方向スライド可能なアーバのスライドカバー構造。
【請求項５】
前記伸縮導入棒の駆動棒セクションには、グリップを嵌めて取り付けることを特徴とする請求項１に記載の双方向スライド可能なアーバのスライドカバー構造。
【考案の詳細な説明】
【技術分野】
【０００１】
本考案は双方向スライド可能なアーバのスライドカバー構造に関し、特に双方向スライドカバーは多段階に調整して伸縮可能な双方向スライド可能なアーバのスライドカバー構造に関する。
【背景技術】
【０００２】
従来の構造である特許文献１は、棒体上に停止ブロックを使用する。停止ブロックは、凹槽内に位置を限定される。棒体を、別の棒体内に入れ、棒体を回転させることで、停止ブロックは、スライド移動し、別の棒体に緊密に結合する動作を行い、２個の棒体を接合して定位する。この方式は簡易だが、停止ブロックがスムーズに結合しないという状況がしばしば発生する。これにより、棒体と棒体とが離脱し、或いは何度回転させても接合できないことがある。
【０００３】
特許文献１に開示する構造は、定位槽と定位ブロックにより結合し、結合と連接としてのみ使用できる。延伸の面では、定位槽に制限され、延伸できる長さには限界がある。
【先行技術文献】
【特許文献】
【０００４】
【特許文献１】台湾実用新案公告第124517号
【考案の概要】
【考案が解決しようとする課題】
【０００５】
本考案の目的は、従来の棒体に使用する停止ブロックが、結合連接にしか使用できず、延伸においては定位槽の制限を受け、延伸できる長さに限界があるという従来の棒体に存在する課題を解決できる双方向スライド可能なアーバのスライドカバー構造を提供することである。
【課題を解決するための手段】
【０００６】
上述の目的を実現するため、本考案は下記の双方向スライド可能なアーバのスライドカバー構造を提供する。
双方向スライド可能なアーバのスライドカバー構造は、アーバ本体、前組立てスライドカバー、後組立てスライドカバー、伸縮導入棒、組立て接続部品を備え、
該アーバ本体内部には、軸方向に非円形貫通槽を貫通し、該非円形貫通槽は、両端にそれぞれ組立て接続部と貫通設置端を備え、該アーバ本体外縁の予定位置には、環状凹槽を設置し、該環状凹槽には、嵌合リングを嵌合して定位し、該環状凹槽の隣接する位置には、収容槽を設置し、該収容槽内部には、ボール体を収容設置し、
該前組立てスライドカバー内部には、前設置収容室を貫通状に設置し、該前設置収容室は、該アーバ本体外縁にちょうど嵌って設置され、該前設置収容室内壁には、停止部を環状に突出して設置し、これにより該停止部は、該環状リングの片側に設置され、該停止部と該環状リングとの間には、前設置バネを設置し、別に、該前設置収容室反対端には、螺合セクションを設置し、
該後組立てスライドカバー内部には、後設置収容室を貫通状に設置し、該後設置収容室は、該アーバ本体の外縁にちょうど嵌って設置され、該後組立てスライドカバーは、該前組立てスライドカバーの螺合セクションに対応し、螺合組立て端を設置し、これにより該螺合組立て端は、該螺合セクションに対応して、螺合され固定され、該後設置収容室内壁には、停止端を環状に突出して設置し、これにより該停止端は、該環状リングの反対の片側に設置され、該停止端と該嵌合リングとの間には、後設置バネを設置し、しかも該停止端内壁には、該螺合組立て端に反対の側に、前ボール槽、非槽セクション、後ボール槽を順番に環状に設置し、該前ボール槽、該非槽セクション、該後ボール槽は、該後組立てスライドカバーのスライド移動により、該アーバ本体のボール体位置に対応し、
該伸縮導入棒は、２個のセクションを備え、それぞれ非円形棒セクションと駆動棒セクションに区別し、該非円形棒セクションは、該アーバ本体の貫通設置端に導入して組合せ、該非円形貫通槽において伸縮し、該駆動棒セクションは、該アーバ本体において露出し、該非円形棒セクション外縁は、径方向に、複数のボール環状槽を環状に陥没させて設置し、該各ボール環状槽は、該伸縮導入棒が該アーバ本体に伸縮して導入接続する時には、ボール環状槽は、軸方向に多段階に、該ボール体に対応して嵌り、
該組立て接続部品一端には、該アーバ本体の組立て接続部に相対し、組立て設置部を設置し、これにより該組立て設置部は、該アーバ本体の組立て接続部に対応して設置され、定位され、しかも該組立て接続部品の反対端には、工具組み付け槽を設置する。
【考案の効果】
【０００７】
本考案の双方向スライド可能なアーバのスライドカバー構造は、双方向スライドカバーは多段階に調整して伸縮可能で、前組立てスライドカバーと後組立てスライドカバーとを、双方向にスライド移動させることができ、前方へ、或いは後方へとスライド移動させる時には、後組立てスライドカバーの停止端、或いは前組立てスライドカバーの停止部は、後設置バネの嵌合リングを相対して圧縮し、これによりボール体は、後ボール槽、或いは前ボール槽内に収容され、こうして伸縮導入棒のボール環状槽を移動させて調整し、アーバ本体のボール体に相対させ、これにより伸縮導入棒は、アーバ本体に相対して長さの調整が可能となり、使用における利便性と実用性を達成することができる。
【図面の簡単な説明】
【０００８】
【図１】本考案の組合せ立体図である。
【図２】本考案の分解立体図である。
【図３】本考案の組合せ断面図である。
【図４】本考案の動作模式図一である。
【図５】本考案の動作模式図二である。
【図６】本考案をグリップに使用する実施例図である。
【図７】本考案をサポート保護具に使用する別種の実施例図である。
【図８】本考案をサポート保護具に使用する別種の実施例図である。
【図９】本考案をサポート保護具に使用する別種の実施例図である。
【図１０】本考案をグリップに使用する別種の実施例図である。
【考案を実施するための形態】
【０００９】
本考案の技術内容、構造特徴、達成する目的を詳細に説明するため、以下に実施例を挙げ並びに図面を組み合わせて説明する。
【００１０】
図１〜６に示すように、本考案双方向スライド可能なアーバのスライドカバー構造は、アーバ本体１０、前組立てスライドカバー２０、後組立てスライドカバー３０、伸縮導入棒４０、組立て接続部品５０を備える。
【００１１】
アーバ本体１０内部には、軸方向に非円形貫通槽１１を貫通する。非円形貫通槽１１は、両端にそれぞれ組立て接続部１２と貫通設置端１５を備える。アーバ本体１０外縁の予定位置には、環状凹槽１３を設置する。環状凹槽１３には、嵌合リング１４を嵌合して定位し、環状凹槽１３の隣接する位置には、収容槽１６を設置する。収容槽１６内部には、ボール体１７を収容設置する。
【００１２】
前組立てスライドカバー２０内部には、前設置収容室２２を貫通状に設置する。前設置収容室２２は、アーバ本体１０外縁に嵌って設置される。前設置収容室２２内壁には、停止部２１を環状に突出して設置する。これにより、停止部２１は、嵌合リング１４の片側に設置される。停止部２１と嵌合リング１４との間には、前設置バネ２４を設置する。別に、前設置収容室２２反対端には、螺合セクション２３を設置する。停止部２１の側端にワッシャ２５を設置する。
【００１３】
後組立てスライドカバー３０内部には、後設置収容室３２を貫通状に設置する。後設置収容室３２は、アーバ本体１０の外縁に嵌って設置される。後組立てスライドカバー３０は、螺合セクション２３に対応し、螺合組立て端３１を設置する。螺合組立て端３１は、螺合セクション２３に対応して、螺合され固定される。後設置収容室３２内壁には、停止端３３を環状に突出して設置する。停止端３３の片側には、後設置バネ３６を設置する。後設置バネ３６の片側は、ワッシャ３７を設置する。停止端３３内壁の別の側に、前ボール槽３４、非槽セクション３８、後ボール槽３５を順番に環状に設置する。
【００１４】
伸縮導入棒４０は、表面に非円形棒セクション４１と駆動棒セクション４６を備える。非円形棒セクション４１と駆動棒セクション４６との間には、階段縁４５を設置する。非円形棒セクション４１は、非円形貫通槽１１において伸縮する。伸縮導入棒４０の外縁には、環状槽部４３を設置する。環状槽部４３には、嵌合部品４４を嵌めて定位する。伸縮導入棒４０はアーバ本体１０に伸縮し、駆動棒セクション４６は、アーバ本体１０において露出する。非円形棒セクション４１外縁は、径方向に、複数のボール環状槽４２を環状に陥没させて設置する。各ボール環状槽４２は、伸縮することにより、軸方向に多段階に、ボール体１７に対応して嵌る。ボール環状槽４２は環状の大文字のＶ字形槽、小文字のｖ字形槽、環状弧形槽の態様或いは点状式円弧形凹孔の態様とされることが可能であり、駆動棒セクション４６の外壁には、定位環状凹槽４７を設置する。定位環状凹槽４７にはグリップＡを嵌めて取り付けることができる。
【００１５】
組立て接続部品５０一端には、組立て設置部５２を設置し、組立て接続部１２に固定する。組立て接続部品５０の反対端には、工具組み付け槽５３を設置する。工具組み付け槽５３は、スクリュードライバーヘッドＢを収容して設置することができる。組立て接続部品５０外縁には、工具組み付け槽５３を連通する嵌槽５１及び嵌めカバー部品５５を嵌めて設置する外環槽５４を設置する。組立て接続部品５０外縁には、弾性体６２を被せて設置する。弾性体６２一端は、嵌接部６３を形成する。嵌接部６３は、嵌槽５１に入り嵌合され、スクリュードライバーヘッドＢを定位する。弾性体６２の別の端は嵌めカバー部品５５に定位し、組立て接続部品５０外縁には、スライドカバー部品６０を嵌めて覆う。スライドカバー部品６０内部は、弾性体６２の両端に相対し、その両端を定位させる停止縁６１と停止台６４をそれぞれ設置する。
【００１６】
上記した構造により、使用者は、前組立てスライドカバー２０と後組立てスライドカバー３０とを、双方向にスライド移動させることができる。前方へ、或いは後方へとスライド移動させる時には、後組立てスライドカバー３０の停止端３３、或いは前組立てスライドカバー２０の停止部２１は、後設置バネ３６の嵌合リング１４を相対して圧縮する。これにより、ボール体１７は、後ボール槽３５、或いは前ボール槽３４内に収容される。こうして、伸縮導入棒４０のボール環状槽４２を移動させて調整し、アーバ本体１０のボール体１７に相対させる。これにより、伸縮導入棒４０は、アーバ本体１０に相対して長さの調整が可能となる。
【００１７】
図７から図９に示すように、本考案の別種の実施例であり、アーバ本体１０外縁には、嵌環槽１８及びその中に嵌めて設置する弾性輪１９を設置し、アーバ本体１０外縁には、サポート保護具Ｃを嵌めて設置し、サポート保護具Ｃの内壁には内環槽Ｃ１を設置し、該弾性輪１９を嵌めて定位する。図８のＢ−ＢからＤ−Ｄに示すように、ボール体１７とボール環状槽４２の数は異なる変化が可能である。
【００１８】
図１０に示すように、伸縮導入棒４０の末端の定位環状凹槽４７にはグリップＡを嵌めて取り付けることができる。
【符号の説明】
【００１９】
１０  アーバ本体
１１  非円形貫通槽
１２  組立て接続部
１３  環状凹槽
１４  嵌合リング
１５  貫通設置端
１６  収容槽
１７  ボール体
１８  嵌環槽
１９  弾性輪
２０  前組立てスライドカバー
２１  停止部
２２  前設置収容室
２３  螺合セクション
２４  前設置バネ
２５  ワッシャ
３０  後組立てスライドカバー
３１  螺合組立て端
３２  後設置収容室
３３  停止端
３４  前ボール槽
３５  後ボール槽
３６  後設置バネ
３７  ワッシャ
３８  非槽セクション
４０  伸縮導入棒
４１  非円形棒セクション
４２  ボール環状槽
４３  環状槽部
４４  嵌合部品
４５  階段縁
４６  駆動棒セクション
４７  定位環状凹槽
５０  組立て接続部品
５１  嵌槽
５２  組立て設置部
５３  工具組み付け槽
５４  外環槽
５５  嵌めカバー部品
６０  スライドカバー部品
６１  停止縁
６２  弾性体
６３  嵌接部
６４  停止台
Ａ  グリップ
Ｂ  スクリュードライバーヘッド
Ｃ  サポート保護具
Ｃ１  内環槽
【図１】
0003185417.tif 000003
【図２】
0003185417.tif 000004
【図３】
0003185417.tif 000005
【図４】
0003185417.tif 000006
【図５】
0003185417.tif 000007
【図６】
0003185417.tif 000008
【図７】
0003185417.tif 000009
【図８】
0003185417.tif 000010
【図９】
0003185417.tif 000011
【図１０】
0003185417.tif 000012